(57)【要約】【課題】商品パッケージに収納された電池等の物品を商品パッケージより取り出し易く、かつ低コストの商品パッケージを提供する。【解決手段】商品パッケージが、台紙と、前記台紙に接着されるつば状部および物品を収容するくぼみを有し、前記台紙および前記くぼみの間で前記物品を保持する保持体とを具備し、前記台紙が、前記くぼみを開口するための開封部を有し、前記保持体が、切り線部によって前記くぼみに設けられた押し込み部を有し、前記押し込み部が前記くぼみの内方へ折れ曲がる。【選択図】        図１
2004155444.tif 000002
【特許請求の範囲】
【請求項１】
台紙と、前記台紙に接着されるつば状部および物品を収容するくぼみを有する保持体とを具備し、
前記台紙が、前記くぼみを開口するための開封部を有し、
前記保持体が、切り線部によって前記くぼみに設けられ、かつ前記くぼみの内方へ折れ曲がる押し込み部を有することを特徴とする商品パッケージ。
【請求項２】
前記切り線部が矩形である請求項１記載の商品パッケージ。
【発明の詳細な説明】
【０００１】
【発明の属する技術分野】
本発明は、電池等の物品を収容して販売などのために展示する商品パッケージに関する。
【０００２】
【従来の技術】
近年、電池などの商品を収容する商品パッケージとして、店頭での展示効果、低コストなどの理由により、ブリスタパックが広く用いられている。ブリスタパックでは、透明な合成樹脂シートに熱形成などでくぼみを形成し、このくぼみに物品を収容している。厚紙などの台紙にくぼみの周縁を接着することにより、くぼみの開口部を塞いで物品を保持している。
【０００３】
従来の商品パッケージの一例として、複数の電池を収容した電池パッケージについて図４および図５を参照しながら説明する。
図４は、従来の電池パッケージの正面図であり、図５は、その分解斜視図である。従来の電池パッケージは、厚紙製の台紙１、複数の電池２をシュリンクパックした合成樹脂シート製の包装部３、および台紙１との間で包装部３を収容して保持する保持体１４から構成される。
【０００４】
保持体１４は、複数の電池２を互いに平行にしてシュリンクパックした透明な合成樹脂製の包装部３を収容するくぼみ１４ａ、前記くぼみ１４ａの周囲に設けられ、台紙１と接着するつば状部１４ｂ、および前記くぼみ１４ａの下端に設けられた一対の脚部１４ｃより構成される。なお、くぼみ１４ａおよび脚部１４ｃは、金型を用いてシート状の合成樹脂を加熱成形することにより得られる。また、脚部１４ｃの底面が、台紙１の下端縁と一致しており、この脚部１４ｃの底面および台紙１の下端縁により、電池パッケージを垂直に立てた状態で展示することも可能である。
【０００５】
台紙１は、店頭などで電池パッケージをピンなどで吊り下げて展示するための孔部１ａを有する。また、台紙１には、ミシン目１ｂが台紙１の下端縁とくぼみ１４ａを取り囲むように設けられている。このミシン目１ｂと台紙の下端縁１ｃとで区画された開封部１ｄを台紙１から切り離すことにより、電池パッケージが開封され、電池パッケージから電池２を取り出すことができる。なお、開封した際の複数の電池２をシュリンクパックした包装部３の落下を防止するために、台紙１における開封部１ｄの下部の幅を電池の幅よりも少し狭くしている。
【０００６】
従来の電池パッケージより電池を取り出す手順を以下に示す。
まず、開封部１ｄの下端縁１ｃとつば状部１４ｂとの間に爪等を入れる。つば状部１４ｂに接着した開封部１ｄの下端縁１ｃをつば状部１４ｂから引きはがす。そして、開封部１ｄの下端縁１ｃをつかんでミシン目１ｂを台紙１の下端側から切り裂く。これにより、開封部１ｄが台紙１から切り離されて、くぼみ１４ａが開口する。そして、指等で保持体１４におけるくぼみ１４ａの前面をくぼみ１４ａの内方へ押し、保持体１４を変形させることにより、包装部３をくぼみ１４ａの開口部より押し出す。このようにして、電池パッケージのくぼみ１４ａより包装部３を取り出す。
【０００７】
このように、保持体１４のくぼみ１４ａは、包装部３の大きさよりも若干大きい構成としているが、開封部１ｄの下端側の幅が、電池取り出し時の電池２の落下防止のため、電池２の幅よりも狭くなっている。また、電池２を取り出す際には、保持部１４を変形させる必要がある。これらの理由により、電池パッケージより複数の電池２をシュリンクパックした包装部３を取り出し難いという問題があった。
【０００８】
また、例えば特許文献１では、顧客が常に物品の種類等の表示を明瞭に視認できるようにするために、上記保持体におけるくぼみの前面に開口部を設けた電池パッケージが提案されている。図６を参照しながら説明する。図６は、くぼみ２４ａの前面に開口部２４ｄを設けた保持体２４の正面図である。
【０００９】
【特許文献１】
特開平９−２２１１７０号公報
【００１０】
保持体２４は、包装部を収容するくぼみ２４ａ、前記くぼみ２４の周りに設けられ、台紙１に接着される接着用のつば状部２４ｂ、前記くぼみ２４ａの下端に設けられた一対の脚部２４ｃ、および所定の寸法で矩形状にくぼみ２４ａを開口した開口部２４ｄにより構成される。開口部２４ｄは、電池パッケージの保持部２４におけるくぼみ２４ａの前面に設けられる。
【００１１】
この保持体２４を用いた電池パッケージより包装部３を取り出す手順を以下に示す。
上記従来と同様の方法で、くぼみ２４ａを開口した後、くぼみ２４ａの前面に設けられた開口部２４ｄより直接指等で、複数の電池２をシュリンクパックした包装部３を押すことにより、包装部３をくぼみ２４ａ内部より外部へ押し出す。このようにして、複数の電池２をシュリンクパックした包装部３を開封部１ｄより取り出す。
【００１２】
上記のような構成の電池パッケージでは、包装部３を取り出す際には、この開口部２４ｄより、くぼみ２４ａに収容されている包装部３を内方へ押すことにより、包装部３が外部へ押し出されるため、包装部３を容易に取り出すことができる。
しかし、保持体２４の作製時において、くぼみ２４ａを作製した後、さらに開口部２４ｄを形成するために、打ち抜き工程と打ち抜いた部分を取り出す工程が加わり、製造コストがかかるという問題があった。また、開口部２４ｄよりくぼみ２４ａ内部へほこり等の異物が入る可能性があった。
【００１３】
【発明が解決しようとする課題】
上記従来の問題を解決するため、本発明は、商品パッケージに収容された電池等の物品を商品パッケージより取り出し易く、かつ低コストの商品パッケージを提供することを目的とする。
【００１４】
【課題を解決するための手段】
本発明は、台紙と、前記台紙に接着されるつば状部および物品を収容するくぼみを有する保持体とを具備し、
前記台紙が、前記くぼみを開口するための開封部を有し、
前記保持体が、切り線部によって前記くぼみに設けられ、かつ前記くぼみの内方へ折れ曲がる押し込み部を有することを特徴とする商品パッケージに関する。
【００１５】
本発明の商品パッケージは、さらに詳しくは、台紙と、前記台紙に接着されるつば状部および物品を収容するくぼみを有し、前記台紙および前記くぼみの間で前記物品を保持する保持体とを具備し、前記台紙が、前記くぼみを開口するための開封部を有し、前記保持体が、切り線部によって前記くぼみに設けられた押し込み部を有し、前記押し込み部が前記くぼみの内方へ折れ曲がって、前記物品を前記台紙側から取り出し得る構成を有する。
前記切り線部は、矩形であることが好ましい。
【００１６】
【発明の実施の形態】
以下、本発明の商品パッケージの実施の形態の一例として複数の電池を収容した電池パッケージについて説明する。
図１は本発明の電池パッケージにおける保持体の斜視図、図２は同保持体の正面図である。
【００１７】
図１および２に示すように、保持体４は、複数の電池２をシュリンクパックした包装部３を収容するくぼみ４ａ、台紙１と接着するためのつば状部４ｂ、前記くぼみ４ａの下端に設けられた一対の脚部４ｃ、および前記くぼみ４ａの前面に設けた矩形状の切り線部４ｄにより設けられた押し込み部４ｅより構成される。切り線部４ｄにより設けられた押し込み部４ｅをくぼみ４ａの内方へ指等で押すと、図１のように押し込み部４ｅがくぼみ４ａの内方へ折れ曲がる構成を有する。
【００１８】
くぼみ４ａおよび脚部４ｃは、金型を用いてシート状の合成樹脂を加熱成形することにより得られた。また、脚部４ｃの底面が、台紙１の下端縁と一致しており、この脚部４ｃの底面および台紙１の下端縁により、電池パッケージを垂直に立てた状態で展示することも可能である。
【００１９】
本発明の電池パッケージは、図３に示すように、上記の保持体４と、厚紙製の台紙１と、複数の電池２を互いに平行にしてシュリンクパックした透明な合成樹脂製の包装部３とから構成される。
ここで、複数の電池をシュリンクパックした包装部３は、保持体４のくぼみ４ａに収容されている。また、保持体４は、つば状部４ｂで台紙１と接着している。
【００２０】
本発明の電池パッケージより複数の電池２をシュリンクパックした包装部３を取り出す手順を以下に示す。
まず、開封部１ｄの下端縁１ｃとつば状部４ｂとの間に爪等を入れる。つば状部４ｂに接着した開封部１ｄの下端縁１ｃをつば状部４ｂから引きはがす。そして、開封部１ｄの下端縁１ｃをつかんでミシン目１ｂを台紙１の下端側から切り裂く。これにより、開封部１ｄが台紙１から切り離され、くぼみ４ａが開口する。
【００２１】
そして、切り線部４ｄにより設けられた押し込み部４ｅを指等でくぼみ４ａの内方へ押して、図１、３のように押し込み部４ｅをくぼみ４ａの内方へ折り曲げる。このようにして、複数の電池２をシュリンクパックした包装部３をくぼみ４ａ内から台紙１の方向へ押し出し、くぼみ４ａに収容された包装部３を取り出す。
【００２２】
本発明の電池パッケージは、保持部４の形成と同時に、保持体４のくぼみ４ａの前面に切り線部４ｄを形成することにより、押し込み部４ｅを設けることができ、製造工程が複雑化しなくてすむ。
また、電池２を取り出す際には、この切り線部４ｄにより設けられた押し込み部４ｅを指等でくぼみ４ａの内方へ押すことにより、押し込み部４ｅがくぼみ４ａの内方へ折り曲がり、前記複数の電池２をシュリンクパックした包装部３が外部へ押し出されるため、電池２の取り出しが容易になる。
【００２３】
【発明の効果】
以上のように、本発明によれば、商品パッケージに収納された電池等の物品を商品パッケージより取り出し易く、かつ低コストの商品パッケージを提供することができる。
【図面の簡単な説明】
【図１】本発明の電池パッケージの保持体の斜視図である。
【図２】同保持体の正面図である。
【図３】本発明の電池パッケージの分解斜視図である。
【図４】従来の電池パッケージの正面図である。
【図５】同電池パッケージの分解斜視図である。
【図６】従来の他の電池パッケージの保持体の正面図である。
【符号の説明】
１    台紙
１ａ  孔部
１ｂ  ミシン目
１ｃ  下端縁
１ｄ  開封部
２    電池
３    包装部
４    保持体
４ａ  くぼみ
４ｂ  つば状部
４ｃ  脚部
４ｄ  切り線部
４ｅ  押し込み部
【図１】
2004155444.tif 000003
【図２】
2004155444.tif 000004
【図３】
2004155444.tif 000005
【図４】
2004155444.tif 000006
【図５】
2004155444.tif 000007
【図６】
2004155444.tif 000008